(57)【特許請求の範囲】
【請求項１】
操作部材と、
前記操作部材に接続される近位端、および、前記近位端から軸方向に沿って離間される遠位端を有する下側部材と、
前記下側部材から延在する１つまたは複数のシーリング部材と、
前記軸方向に沿って、前記操作部材を通って前記下側部材へと延在する第１の孔と、
前記軸方向に沿って前記操作部材へと延在する複数の第２の孔であって、前記第１の孔の周りに配置される、複数の第２の孔と、
隣接する第２の孔の間にある複数の仕切りであって、前記操作部材の圧縮スティフネスを向上させるように構成される、複数の仕切りと、を有し、
前記第１の孔が、関連する処理機械上の位置合わせピンを受けるように適合される、クロージャ。
【請求項２】
前記下側部材が、前記下側部材の外側表面と前記第１の孔との間にいくらかの壁の厚さを有し、前記操作部材が、前記下側部材に接続される第１の面と前記第１の面の反対側の第２の面との間に垂直方向の寸法を有し、前記垂直方向の寸法が前記壁の厚さより実質的に大きい、請求項１に記載のクロージャ。
【請求項３】
前記操作部材が、前記下側部材に接続される第１の面と前記第１の面の反対側の第２の面との間に垂直方向の寸法を有し、前記垂直方向の寸法が１．５ｍｍより大きい、請求項１に記載のクロージャ。
【請求項４】
前記操作部材が前記下側部材に接続される第１の面と前記第１の面の反対側の第２の面との間に垂直方向の寸法を有し、前記垂直方向の寸法が３．０ｍｍより大きい、請求項１に記載のクロージャ。
【請求項５】
前記操作部材が、前記軸方向に対して垂直な方向に圧縮される場合に０．２ＧＰａから３．０ＧＰａの間の弾性率を有する、請求項１に記載のクロージャ。
【請求項６】
前記１つまたは複数のシーリング部材のうちの少なくとも１つが実質的に一様な厚さを有する、請求項１に記載のクロージャ。
【請求項７】
前記実質的に一様な厚さが０．５ｍｍから２．０ｍｍの間である、請求項６に記載のクロージャ。
【請求項８】
前記シーリング部材が前記下側部材から延在する平均距離が前記実質的に一様な厚さの５倍から１５倍の間である、請求項６に記載のクロージャ。
【請求項９】
前記シーリング部材が前記下側部材から延在する平均距離が５ｍｍから１５ｍｍの間である、請求項７に記載のクロージャ。
【請求項１０】
前記１つまたは複数のシーリング部材が前記軸方向に対して垂直に延在する、請求項１に記載のクロージャ。
【請求項１１】
前記１つまたは複数のシーリング部材が、前記下側部材から延在する環状リングを有する、請求項１に記載のクロージャ。
【請求項１２】
クロージャは、試験管の相補的開口部の中に挿入される、請求項１に記載のクロージャ。
【請求項１３】
前記１つまたは複数のシーリング部材が前記相補的開口部の内壁に接触するように適合され、それにより、前記下側部材が前記相補的開口部内に挿入されるときに耐圧シールが形成される、請求項１２に記載のクロージャ。
【請求項１４】
前記操作部材が、前記下側部材が前記相補的開口部内に完全に挿入されているときに前記相補的開口部の端部に当接されるショルダを有する、請求項１２に記載のクロージャ。
【請求項１５】
前記相補的開口部が１２ｍｍから１６ｍｍの間の直径を有する、請求項１２に記載のクロージャ。
【請求項１６】
前記下側部材を前記相補的開口部内に挿入したり取り外したりするのに必要となる力が２Ｎから２０Ｎの間である、請求項１２に記載のクロージャ。
【請求項１７】
前記下側部材を前記相補的開口部内に挿入したり取り外したりするのに必要となる力が２Ｎから４０Ｎの間である、請求項１２に記載のクロージャ。
【請求項１８】
前記下側部材の前記遠位端から前記軸方向に延在する心出し部材をさらに有する、請求項１に記載のクロージャ。
【請求項１９】
前記テーパ表面が前記軸方向に対して４５度から８５度の間の角度を有する、請求項１８に記載のクロージャ。
【請求項２０】
前記第１の孔が前記心出し部材内を延在する、請求項１８に記載のクロージャ。
【請求項２１】
前記第１の孔が前記心出し部材内を延在し、また、前記下側部材および前記心出し部材の形状に近い形状を有し、それにより、前記下側部材および前記心出し部材がほぼ一様な壁の厚さを有するようになる、請求項１８に記載のクロージャ。
【請求項２２】
前記クロージャがほぼ一様な厚さを有する壁を有し、それにより、前記クロージャが単一部品として射出成形によって製造されるように適合される、請求項１に記載のクロージャ。
【請求項２３】
各壁の厚さが０．７９４ｍｍ（１／３２インチ）から２．５４ｍｍ（１／１０インチ）の間である、請求項２２に記載のクロージャ。
【請求項２４】
前記クロージャが前記下側部材の前記近位端と前記遠位端との間に位置する質量中心を有する、請求項１に記載のクロージャ。
【請求項２５】
前記第１の孔は、一体成形形態または一体成形部品からなる、請求項１に記載のクロージャ。
【発明の詳細な説明】
【発明の詳細な説明】
【０００１】
関連出願の相互参照
本出願は、参照によりその開示の全体が本明細書に組み込まれる、２００９年１０月９日に出願された米国仮特許出願第６１／２７２，６０３号の優先権を主張するものである。
【技術分野】
【０００２】
[0001]本開示は、相補的開口部を密封するためのクロージャを説明する。例示の一実施形態は、挿入または取り外しの際に接触される操作表面を有する操作部材と、耐圧シールを提供する１つまたは複数のシーリング部材と、挿入中にクロージャの位置合わせを容易にする心出し部材とを有する。クロージャは手動でまたは自動システムによって操作され得る。別の態様では、本開示は、手動方法または自動方法であってよい、クロージャを操作する方法を説明する。
【背景技術】
【０００３】
[0002]医療検査は、一日に数百さらには数千の患者サンプルを処理する中心的施設で実施されることが多くなっている。これらの検査は、手動で、または、自動システムの補助により実施され得る。医療テストは、しばしば、患者特性を決定するために生体サンプルを処理することを伴う。生体サンプルはしばしば流体内に用意されたりまたは流体として用意されたりすることがあり、または、検査の中間生成物（ｔｅｓｔ  ｉｎｔｅｒｍｅｄｉａｔｅ）として流体が生成されることがある。その結果、流体容器およびそれらのクロージャが多くの医療テストの中心的部品となる。
【０００４】
[0003]多くの従来のクロージャは、高スループットでの使用のためには設計されておらず、そのような要求度の高い環境での性能が高くない。性能が低いことにより、汚染による故障が発生する可能性があり、また、アッセイの信頼性が低下する可能性もある。高スループットの自動システムでは、クロージャの問題により、１つの特定のサンプルが損失する可能性があり、さらには、１つの問題のクロージャによりシステムが詰まったり損傷したり汚染されたりした場合に移動中のサンプル全体が被害を受ける可能性がある。したがって、高スループットの自動システムでは、信頼性が高く、例えば破損、詰まり、または、汚染による故障、などの不具合に対して高い耐性を有するようなクロージャが特に必要とされている。
【０００５】
[0004]例えば、従来のプッシュタイプのクロージャは、挿入を可能にするのに十分な力で握持されるときに過度に湾曲する可能性があり、したがって変形しやすく、それによりシールが低品質になり、それにより汚染による故障が起こる可能性がある。変形を防止するように十分な剛性を有し得るクロージャもあるが、このようなクロージャは、全体を通して一様な厚さを有する単一の材料で作られることから（これは、製造には好都合であると想定される）、結果として、一部の事例ではクロージャの挿入部分が過剰な剛性を有する可能性があり、不完全な位置合わせには対応することができず、それによりクロージャが変形したり破損したりし、可能性として汚染による故障に繋がる場合がある。また、多くの従来のプッシュタイプのクロージャは心出しフィーチャまたは位置合わせフィーチャを欠いており、したがって挿入が失敗する頻度および汚染による故障が発生する危険性が増す。
【発明の概要】
【発明が解決しようとする課題】
【０００６】
[0005]上記に鑑み、当技術分野では、迅速かつ効率的かつ安定的に操作され得、高スループットの設定での使用において十分に高い信頼性を有して操作され得るような、改善されたクロージャが必要とされる。また、以下の考察は、医療分野の特定の領域での高スループットでの使用を強調するが、本明細書で説明される本発明が一部の事例において個別にまたはまとめて使用され得、さらには、本明細書で説明される用途を超えた医療用途および検査用途またはさらには医療分野外の医療用途および検査用途を有し得ることが容易に理解され得る。
【課題を解決するための手段】
【０００７】
[0006]本開示は、集合的または種々の組合せで使用され得るあるいは単独で使用され得る複数の発明を提供する。以下の概要はそれらの発明のいくつかの実施例を提供しており、特許請求される本発明を一切限定しない。
【０００８】
[0007]例示の一態様では、本開示は相補的開口部を密封するためのクロージャを提供する。このクロージャは、操作部材と、操作部材に接続される近接端および近位端から軸方向に沿って離間される遠端を有する下側部材とを有する。１つまたは複数のシーリング部材が下側部材から延在する。第１の孔が操作部材を通って下側部材へと軸方向に沿って延在する。第２の孔が軸方向に沿って操作部材へと延在する。第２の孔は第１の孔の周りに配置され、隣接する孔の間に仕切りが設けられる。これらの仕切りは、操作部材の圧縮スティフネス（ｃｏｍｐｒｅｓｓｉｏｎ  ｓｔｉｆｆｎｅｓｓ）を向上させるように構成される。
【０００９】
[0008]別の例示の態様では、本開示は、クロージャを設置するまたは取り外すための機械および方法を提供する。別の態様では、本開示は、一部の実施形態においてクロージャと共に使用され得るクロージャおよびフィーチャの種々の別の実施形態を提供する。
【図面の簡単な説明】
【００１０】
【図１】[0009]図１Ａは、剛性の操作部材と、心出し部材と、２つのシーリング部材とを含む例示のプッシュタイプのクロージャを示す等角図である。[0010]図１Ｂは、試験管内に設置されて示される図１Ａのクロージャを示す側面図である。図１Ｃは、試験管内に設置されて示される図１Ａのクロージャを示す切断側面図である。
【図２】[0011]図１Ａに示されるクロージャに類似するが１つのシーリング部材を有するプッシュタイプのクロージャを示す切断側面図である。
【図３】図１Ａに示されるクロージャに類似するが３つのシーリング部材を有するプッシュタイプのクロージャを示す切断側面図である。
【図４】[0012]図４Ａは、図１に示されるクロージャに類似し、孔フィーチャを有する例示のプッシュタイプのクロージャを示す等角図である。図４Ｂは、図１に示されるクロージャに類似し、孔フィーチャを有する例示のプッシュタイプのクロージャを示す側面図である。
【図５】[0013]図５Ａは、剛性の操作部材と、心出し部材と、２つのシーリング部材と、位置合わせフィーチャとを含む別の例示のプッシュタイプのクロージャを示す等角図である。[0014]図５Ｂは、試験管内に設置されて示される図５Ａのクロージャを示す側面図である。図５Ｃは、試験管内に設置されて示される図５Ａのクロージャを示す切断側面図である。[0015]図５Ｄは、位置合わせピンと位置合わせフィーチャとの相互作用を示している、図５Ａのクロージャを示す切断側面図である。
【図６】[0016]図６Ａは、剛性の操作部材と、心出し部材と、２つのシーリング部材と、ロックとを含む別の例示のプッシュタイプのクロージャを示す側面図である。図６Ｂは、剛性の操作部材と、心出し部材と、２つのシーリング部材と、ロックとを含む別の例示のプッシュタイプのクロージャを示す切断側面図である。
【図７Ａ】[0017]剛性の孔付き操作部材と、心出し部材と、２つのシーリング部材とを含む別の例示のプッシュタイプのクロージャを示す側面図である。
【図７Ｂ】剛性の孔付き操作部材と、心出し部材と、２つのシーリング部材とを含む別の例示のプッシュタイプのクロージャを示す切断側面図である。
【図７Ｃ】剛性の孔付き操作部材と、心出し部材と、２つのシーリング部材とを含む別の例示のプッシュタイプのクロージャを示す上面図である。
【図７Ｄ】剛性の孔付き操作部材と、心出し部材と、２つのシーリング部材とを含む別の例示のプッシュタイプのクロージャを示す等角図である。
【図８】[0018]図５に示されるクロージャに類似のクロージャを操作するように適合される例示のグリッパを示す切断側面図である。
【発明を実施するための形態】
【００１１】
[0019]以下で説明される実施形態は、概して、１つまたは複数の剛性の操作部材と、心出し部材と、１つまたは複数のシーリング部材と、１つまたは複数の位置合わせフィーチャとを含むクロージャに関する。これらのクロージャは自動での操作および手動での操作において優れた性能を発揮する。上述したように、多くの従来のクロージャは、不十分な剛性（使用時に変形する）、過度な剛性（挿入時の位置ずれに対応できない）、および別の欠点により、要求度の高い環境での使用に十分な信頼性を有さない。これらの問題に対処するために、本開示は、剛性の操作部材、位置ずれを防止することができるフィーチャ、および／または、挿入時に位置ずれを修正することができるフィーチャを含む（これらのフィーチャの実施例は後でさらに詳細に説明される）。
【００１２】
[0020]定義
[0021]クロージャの「操作」は、クロージャを相補的開口部内に挿入することまたは相補的な開口部からクロージャを取り外すこと、さらには、クロージャを相補的な開口部内に挿入するまたは相補的開口部からクロージャを取り外す前または後でクロージャを保持することを意味する。
【００１３】
[0022]「相補的開口部」は、開口部を部分的にまたは完全に閉鎖するためにクロージャが中に挿入され得る開口部を意味する。クロージャが１つまたは複数のシーリング部材を有する場合、一部の実施形態では、相補的な開口部は、挿入時にシーリング部材によって接触される１つまたは複数の表面を有する開口部であってよく、それにより一部の実施形態では耐圧シールが形成され得る。
【００１４】
[0023]「耐圧シール」は、クロージャが相補的開口部内に挿入されたときに形成されるシールを意味し、このシールは、開口部を通って流体（液体または気体）が通過するのを防止することができる。耐圧シールは、一部の実施形態では、シールに対して維持され得る圧力の量を参照することによりさらに具体化され得、例えば１０３ｋＰａ（１５ｐｓｉ）の耐圧シールは、流体が１０３ｋＰａ（１５ｐｓｉ）で加圧されるときの圧力に耐えるシールを意味する。特定の流体を参照して複数の耐圧値（ｐｒｅｓｓｕｒｅ−ｒｅｓｉｓｔａｎｃｅ  ｖａｌｕｅ）が規定されてよい。耐圧シールの文脈では、示される圧力は通常はゲージ圧力であり、すなわち周囲圧力を基準に示される。
【００１５】
[0024]「接触表面」は操作時にクロージャに接触する表面を意味する。例示の接触表面には、自動グリッパ、手動操作グリッパ、クロージャを操作するための別の手動操作工具、または、操作者の表面（例えば、人間または動物の操作者の指、手、指関節、親指、歯など）が含まれる。１つの例示の工具は、クロージャの下面または側面に接触するように適合される接触表面と、クロージャを取り外す力を加えるための支点と、機械的利点を有する任意選択のレバーとを有し、上記のレバーは、一部の実施形態では、開口部を画定する構造を有する。
【００１６】
[0025]クロージャに言及する場合、例えば「上側」、「中間」および「下側」などの相対的な空間を意味する用語は、クロージャを１つの特定の方向から見た場合の相対的位置を示しているものとして理解され、ここでは、クロージャの挿入はクロージャの上側部分から下側部分の方向で実施される（例えば、図４Ｂに示されるような方向）。しかし、クロージャがこのような方向で使用されることのみに限定されず、操作時または使用時に任意の絶対的な向き（ａｂｓｏｌｕｔｅ  ｏｒｉｅｎｔａｔｉｏｎ）を有し得ることを理解されたい。同様に、「長さ」または「高さ」という用語は、クロージャを開口部内に挿入するときの方向に平行な線に沿って測定される寸法を意味しており、「幅」という用語は、クロージャを開口部内に挿入するときの方向に対して垂直な線に沿って測定される寸法を意味する。「前方」および「後方」という用語は、示される図においてそれぞれそのページから出る方向およびそのページに入る方向を意味する。コロナル平面または断面、サジタル平面または断面、および横断面（ｔｒａｎｓｖｅｒｓｅ  ｐｌａｎｅ）または横断断面（ｔｒａｎｓｖｅｒｓｅ  ｓｅｃｔｉｏｎ）も同様に、この向きに対する標準的な意味を有する。長手方向平面または断面は、一部の事例では、概して、横断面に対して垂直な任意の平面または断面を意味する。クロージャの「軸」は開口部内に完全に挿入されたクロージャを基準にして定義され、挿入方向に平行でありかつ開口部の平坦な断面の対称軸と同一線上の線を意味する（回転軸またはＮ回軸、ここではＮは１より大きい正の整数）。対称軸が存在しない場合、この線は、挿入方向に平行でありかつ開口部の平坦な断面の図心を通過しており、ここでは、開口部の平坦な断面は挿入方向に対して垂直であり、開口部の壁と交差することにより閉鎖された形状を形成する最も高い平坦な断面である。「近位」および「遠位」はそれぞれ軸に向かう方向または軸から離れる方向を意味する。
【００１７】
[0026]特に定義しない限り、本明細書で使用されるすべての技術用語および科学用語は、当業者によって一般的に理解される意味と同じ意味を有する。矛盾が生じる場合、定義を含めた本明細書の意味が優先される。さらに、文脈で他に必要とされない限り、単数形の用語は複数も含み、複数形の用語は単数も含む。以下では例示の方法および材料が説明されるが、本明細書で説明される方法および材料に類似するまたはそれらと同等の方法および材料も本発明を実施または試験するのに使用され得る。
【００１８】
[0027]以下の実施例は本発明の態様および実施形態を示すためにさらにはそれらの理解を補助するために提示される。これらの実施例はいかなる意味でも本発明の範囲を限定するものとして解釈されない。
【００１９】
[0028]ここで図１Ａ〜１Ｃを参照すると、第１の例示の実施形態において、一部の実施形態において開口部１５２を有する容器１５０を閉鎖するのに使用され得るクロージャ１００が提示されている。クロージャ１００は、斜視図（図１Ａ）、開口部内に挿入された後の側面図（図１Ｂ）、および、開口部内に挿入された後の切断図（図１Ｃ）で示される。一部の実施形態では試験管の開口部を含んでよい開口部は、例えば約１２ｍｍから約１６ｍｍの間といったような任意の適当なサイズを有してよい。第１の例示のクロージャ１００は、操作部材１０２と、心出し部材１０４と、下側部材１１２から延在する２つのシーリング部材１１０とを有する。クロージャ１００は、一部の実施形態では、ポリエチレン、低密度ポリエチレン、高密度ポリエチレン、ポリプロピレン、または別の重合体で形成される。例示の実施形態では、操作部材１０２は中実の（孔を有さない）構造を有し、それにより十分な剛性が得られ、一部の実施形態において、目でわかるくらいにクロージャ１００を変形させることなくさらには操作部材１０２とクロージャの残りの部分との間の空間的関係を変化させることなく、その側壁を握持したり開口部の中に押し込んだり開口部から引抜いたりすることが可能となる。クロージャ１００を容器１５０内に挿入することは、ショルダ１０３と開口部１５２とが接触することによって止められる。心出し部材１０４はテーパ表面１０６および切断された先端部１０８を有する。クロージャ１００が挿入されるときに誤って位置合わせされた場合、位置ずれの程度が大きくない場合は、テーパ表面１０６または切断された先端部１０８が容器１５０の内壁１５４に接触してクロージャを適切に位置合わせするように誘導する。心出し部材１０４は一部の実施形態では垂直方向からの角度が９０度未満であるテーパ表面を画定していてよく、この角度は垂直方向に対して例えば約４５度から約８５度に間である。心出し部材１０４は、開口部よりわずかに細いが、各シーリング部材１１０を開口部１５２に接触させるには十分な広さを有し、得られる接触力は、位置合わせをさらに改善する傾向を有する。
【００２０】
[0029]シーリング部材１１０は、任意の適当な形状およびサイズを有してよい。一実施形態では、シーリング部材１１０は、実施形態によっては、環状リングの形態の下側部材１１２から外に、シーリング部材の実質的に一様な厚さの約５倍から約１５倍の間の長さだけ突出していてよい。この平均距離は一部の実施形態では約５ｍｍから約１５ｍｍの間であってよい。シーリング部材１１０の厚さは別の実施形態では約０．５ｍｍから約２．０ｍｍの間であってよい。一部の実施形態の各シーリング部材１１０の厚さは以下の式により最小の挿入力Ｆに関連付けられる：
Ｆ＝［Ｅ＊｛（Ｄ−ｄ）／Ｄ｝］＊［ＰＩ＊Ｄ＊Ｔ］＊ｆｓ
ここでは、Ｅはシーリング部材の材料の弾性率であり、Ｄはシーリング部材の直径であり、ｄは開口部の直径であり、Ｔは実質的に一様な厚さであり、ｆｓはクロージャと相補的開口部の内壁との間の静止摩擦係数である。これらの変数の値は一部の実施形態では、力Ｆが約１０Ｎになるように、選択されてよい。一部の実施形態では、クロージャを挿入したり取り外したりするのに必要となる最小の力は実施形態によっては約２Ｎから約２０Ｎまたは約４０Ｎの間であってよい。
【００２１】
[0030]挿入時、２つのシーリング部材１１０が、流体を容器内に閉じ込めておくことができる耐圧シールを提供する。各シーリング部材１１０は、一部の実施形態では、何度も使用されるのに十分なシールを個別に提供することができ、したがって、２つのシーリング部材１１０が存在することで多重性が得られ、一方のシーリング部材が損傷していたり欠陥を有したりしていても閉じ込めが保証される。２つのシーリング部材１１０はまた、クロージャ軸に沿って離間された２つの箇所において容器１５０に接触することにより、容器内でクロージャ１００が確実に垂直に向くように補助する。
【００２２】
[0031]操作部材１０２は、操作のために十分な力で接触されるときに変形および歪みに抵抗するのに十分な剛性を有する。例えば、操作部材およびクロージャ１００の残りの部分は一部の実施形態では１つの材料から成形されて形成されてよく、ここでは、操作部材は、操作部材が横方向に圧縮される場合に測定して約０．２ＧＰａから約３．０ＧＰａの間の弾性率を有する。歪みに抵抗することにより、クロージャは操作部材１０２とクロージャの残りの部分との間の空間的関係を一定に維持し、操作全体を通してクロージャの形状がより一定に維持される。この剛性は、使用中にこの剛性がないと起こる可能性がある、位置ずれ、挿入力または取り外し力の増加、あるいは所望のシールを形成できないことなど、望ましくない挙動を軽減するかまたは完全に排除する。
【００２３】
[0032]上述の例示の実施形態に加えて、操作部材を有するクロージャの別の実施形態および構成も想定される。例えば、別の実施形態では、操作部材の表面は垂直であったり、水平であったり、他の向きを有したり、または、上述の向きの組合せを有したりしていてよく、あるいは複数の向きを有する表面であってもよい。例えば、クロージャは、一部の実施形態では、クロージャが完全に挿入されているときにクロージャを取り外すのを可能にするために下方から握持または接触され得るショルダまたはアンダーカットと、一部の実施形態において挿入時に接触され得る上側表面と、クロージャの挿入時および取り外し時に握持され得る側表面または角度付き表面と、それらの任意に組合せとを有する。
【００２４】
[0033]クロージャを開口部内に挿入する際またはクロージャを開口部から取り外す際、シーリング部材１１０は一部の実施形態では締まり嵌めを形成するために圧縮され得るおよび／または撓むことでき、それにより一部の実施形態ではシーリング部材１１０が概して円錐台形または波形になる。別の実施形態では、例示のシーリング部材１１０はテーパ角または抜き勾配を有してよく、または、図１Ｃに示されるようにクロージャの軸に対して垂直に延在していてもよい。例示の実施形態では、シーリング部材１１０の長さおよび厚さは、挿入時にクロージャを心出しするのを促進するためにシーリング部材に十分な柔軟性をもたらすように、選択される。
【００２５】
[0034]上述の例示に実施形態に加えて、ショルダを有さないクロージャの別の実施形態および構成も想定される。例えば、ショルダと容器とを接触させることによりクロージャの挿入を止めるのではなく、クロージャは、挿入を止めるフィーチャを一切有さなくてもよい。別法として、クロージャは一部の実施形態では、挿入方向に沿って広くなっていく上側部分を有し、したがって、挿入は干渉および摩擦によって止められる。
【００２６】
[0035]上述の例示の実施形態に加えて、心出し部材１０４を有するクロージャの別の実施形態および構成も想定される。例えば、心出し部材１０４は一部の実施形態では、ある程度鋭利なテーパを有する。より鋭利なテーパは心出し力を増大させる傾向があり、それによってより迅速な挿入が促進されるが、これは心出し部材の全長を増加させる可能性もあり、それにより容器内の使用可能な容量が減少する可能性があり、閉じ込められている液体にクロージャが接触する可能性が増し、また、片手で開けるのをクロージャが妨げる可能性が増す。心出し部材は一部の例では切断された端部または切断されていない端部を有していてよい。切断された端部が存在する場合、切断された端部は、円形、平坦、凹形、凸形などを含めた、任意の所望のテーパまたは形状であってよい。切断された端部はテーパ表面の幅を減少させることから、一部の実施形態では位置ずれの許容量が減少する可能性があるが、切断された端部が凸形または円形である場合、一部の実施形態では不整合の許容度の損失をある程度緩和することができる。円形または凸形の端部は先端部のところに液体が蓄積しやすくなる傾向があり、落下するくらいに十分なサイズの液滴を形成させやすく、それにより一部の実施形態では、クロージャが取り外される前またはクロージャが取り外されるときに液体を落下させて容器内に戻して汚染を防止することが可能となるが、別の実施形態では切断された端部は平坦または凹形である場合があり、それらは落下を妨げる傾向にあり、一部の実施形態では、使用状況によっては汚染の危険性を軽減することができる。
【００２７】
[0036]上述の例示の実施形態に加えて、別の断面形状を有するクロージャも想定される。クロージャの複数の部分は、一部の実施形態では、個別に径方向において対称であるか、Ｎ回対称軸を中心に対称であるか（Ｎは１より大きい正の整数）、または、非対称であってよい。例えば、心出しフィーチャおよびシーリング部材が概して開口部の形状に適合していても、操作部材は開口部の形状に適合する必要はない。クロージャは一部の実施形態では、任意の断面形状を有する開口部と共に使用されるよう適合され得る。非常に多くの形状が容易に想定され、非限定の実施例には、円形、長円形、別の円形形状、正方形、三角形、長方形、別の正多角形または不規則な多角形（任意選択で丸みある角部を有する）、あるいは、別の任意の閉じた凸形状または閉じた凹形状が含まれる。
【００２８】
[0037]次に図２を参照すると、第２の例示の実施形態において、図１のクロージャに類似のクロージャ２００が提示されており、単一のシーリング部材２１０のみが含まれている。
【００２９】
[0038]次に図３を参照すると、第３の例示の実施形態において、図１および２のクロージャに類似のクロージャ３００が提示されており、３つのシーリング部材３１０が含まれる。
【００３０】
[0039]上述の例示の実施形態に加えて、シーリング部材を有するクロージャの別の実施形態および構成も想定される。例えば、１つまたは複数のシーリング部材は、一部の実施形態では心出しに寄与することができ、それにより、心出し部材が十分な位置合わせを提供し、それによって、シーリング部材が開口部に接触することができ、その結果、クロージャを適切に位置合わせするようにさらに誘導する傾向にある接触力が得られる。心出しにさらに寄与するために、シーリング部材は一部の実施形態では食い違い状の幅を有することができ、広い部材の前に狭い心出し部材が開口部に入ることにより、クロージャが挿入されるときに心出しが段階的に進行される。一部の実施形態では１つまたは複数のシーリング部材がクロージャを定位置に誘導するのを補助するために種々の形状であってよく、また一部の実施形態では容器１５０に対して実際にシールを形成するとは限らないことも想定される。さらに、別法として、シーリング部材のうちの１つ、一部またはすべてが、部分的なシールを形成してもよく（すなわち、このシールでは、クロージャと容器との間の空間の一部分のみが閉鎖される）、その代わり、これらの部分的なシールの集合体により、あるいは、操作部材の基部に配置される例えばガスケットまたはｏリングといったような補助シールにより、適切なシールが形成され得る。
【００３１】
[0040]次に図４を参照すると、第４の例示の実施形態において、図１〜３のクロージャに類似の、操作部材４０２と、心出し部材４０４と、下側部材４１２とを有するクロージャ４００が提示されている。このクロージャは斜視図（図４Ａ）および側面図（図４Ｂ）で示されている。図に示されるように、クロージャ４００は横方向に延在する孔４０６を有するように形成されており、孔４０６はクロージャの軸に対して垂直に延在する。これらの孔は、プラスチックまたは別の材料からクロージャ４００を成形するのを容易にするために設けられており、この工程は、しばしば、この部分全体を通して壁の厚さを概して一様にすることによって容易になる。示されるクロージャ４００は一部の実施形態では単一部品として射出成形されることによって製造され得、成形物を形成する壁の厚さは一部の実施形態では約０．７９４ｍｍ（１／３２インチ）から約２．５４ｍｍ（１／１０インチ）の間の範囲であってよい。この部分は、孔を有さないように形成され得るが、一部の実施形態では、鋳型を通る異なる流量、差異的な冷却、および部品の膨張または収縮を考慮するための余地が必要となる可能性がある。横方向に延在する孔４０６を使用することにより、この部分を概して一様な厚さの壁のラチスとして製造することが可能となり、さらには、目でわかるくらいにクロージャ４００を変形させることなくさらには操作部材４０２とクロージャの残りの部分との間の空間的関係を変化させることなく、操作部材４０２を形成する側壁を握持したり開口部の中に押し込んだり開口部から引き出したりするのを可能にするために、十分な剛性がもたらされる。
【００３２】
[0041]上述の例示の実施形態に加えて、孔付きの要素を有するクロージャの別の実施形態および構成も想定される。一般に、クロージャの一部分の構造が、一部分を形成する鋳型（ｐａｒｔ−ｆｏｒｍｉｎｇ  ｍｏｌｄ）上の突出部または「中子」の周りに形成される１つまたは複数の壁を有する場合に、孔付きの要素が存在する。最終的な構造内に孔を形成し、重量および材料の使用量を減らしながら非孔付きの構造の強度および剛性をほぼ維持するために、コアリングが使用されてよい。コアリングは、一部の例において、クロージャの壁の厚さをより一様にすることにより製造コストを下げることができる。孔を追加することにより（コアリングまたは別の製造手法により）、一部の実施形態では、クロージャの質量も減少させることができり、それにより可能性として操作の容易さおよび速度を向上させることができ、さらには、材料のコストおよび積込み重量を減少させることができる。クロージャの一部分が閉じ込められた液体に接触する可能性があることから、孔付きのフィーチャを使用することにより液体がクロージャに付着しやすくなる。クロージャが取り外されると、一部の例では、付着している液体が落下したり、飛び散ったり、流れたりする可能性があり、またそれ以外でも、クロージャの外側の所望されない箇所に付着する可能性もあり、それにより作業領域のコンテインメント（ｗｏｒｋ  ａｒｅａ  ｃｏｎｔａｉｎｍｅｎｔ）が汚染されたり、相互汚染が起きたり、キャリーオーバーが発生したりする可能性がある。これらの潜在的な問題を防止するために、例示の実施形態では、閉じ込められた液体に接触する可能性があるクロージャの複数の部分が孔を有さず、または別法として、一部の実施形態では、コアリングが垂直の方向のみに（すなわち、クロージャの軸に沿って）壁を有することができ、したがって、容器が、閉じこめられた液体の上方でクロージャが垂直に方向付けられるように、方向付けられる場合、液体がクロージャの底部へと流れて容器へと落下しやすくなる。
【００３３】
[0042]次に図５を参照すると、第５の実施形態において、一部の実施形態において開口部５５２を有する容器５５０を閉じるのに使用され得るクロージャ５００が提示されている。クロージャ５００は、斜視図（図５Ａ）、開口部内に挿入された後の側面図（図５Ｂ）、開口部内に挿入された後の切断図（図５Ｃ）、および、位置合わせフィーチャを用いた使用を示す図（図５Ｄ）で示されている。第５の例示のクロージャ５００は、操作部材５０２と、心出し部材５０４と、２つのシーリング部材５１０と、位置合わせフィーチャ５１４とを有する。上の実施形態と同様に、下側部材５１２が操作部材５０２のところの近位端から位置合わせフィーチャ５１４のところにある遠位端まで延在する。クロージャ５００は、一部の実施形態では、例えば、ポリエチレン、低密度ポリエチレン、高密度ポリエチレン、ポリプロピレン、あるいは、別の重合体または材料で形成されてよい。例示の実施形態では、操作部材５０２は、示される位置合わせフィーチャ５１４を除いて、十分な剛性をもたらす中実の（孔を有さない）構造を有し、その剛性によって、一部の例においては、目でわかるくらいにクロージャ５００を変形させることなく、さらには操作部材５０２とクロージャの残りの部分との間の空間的関係を変化させることなく、側壁を握持したり開口部の中に押し込んだり開口部から引き出したりすることができる。クロージャ５００を容器５５０内に挿入することは、ショルダ５０３と開口部５５２とが接触することによって止められる。クロージャが完全に挿入されると、ショルダ５０３が開口部５５２を越えて突出し、取り外し中に下方から接触され得るようになる。操作部材５０２の垂直方向の厚さは、クロージャ５００が開口部５５２内に完全に挿入されているときにクロージャ５００の質量中心が開口部５５２より下にくるように、選択され、それにより安定性が向上する。例えば、操作部材５０２は、一部の実施形態では、１．５ｍｍより大きいまたは３．０ｍｍより大きい垂直方向の厚さを有してよい。心出し部材５０４はテーパ表面５０６および切断された先端部５０８を有する。クロージャ５００が挿入されるときに誤って位置合わせされた場合、位置ずれの程度が大きくない場合は、テーパ表面５０６または切断された先端部５０８が容器５５０の内壁５５４に接触してクロージャを適切に位置合わせするように誘導する。心出し部材５０４は開口部よりわずかに細いが、少なくとも一番下のシーリング部材５１０を開口部５５２に接触させるように誘導することができるくらいには十分に広く、得られる接触力は位置合わせをさらに改善するような傾向にある。挿入時、２つのシーリング部材５１０が、流体を容器内に閉じ込めておくことができる耐圧シールを形成する。各シーリング部材５１０は一部の実施形態では何度も使用されるのに十分なシールを個別に形成することができ、したがって、２つのシーリング部材５１０が存在することで多重性が得られ、一方のシーリング部材が損傷していたり欠陥を有したりしていても閉じ込めが保証される。２つのシーリング部材５１０はまた、容器５５０内でクロージャ５００を垂直の向きに維持するのを補助する。
【００３４】
[0043]例示の位置合わせフィーチャ５１４は操作部材５０２内を延在する孔であり、これはまた、一部の実施形態では下側部材５１２内を延在してもよい。位置合わせピン５７０が位置合わせフィーチャ５１４内に嵌挿され、この位置合わせピン５７０は、クロージャ５００を取り外したりクロージャ５００を容器５５０内に挿入したりするときに使用されるグリッパ（この図には示されない）に対するクロージャ５００の向きおよび位置を維持するのを補助する。位置合わせピン５７０は、位置合わせフィーチャ５１４とは異なるテーパを有するテーパ５７２を有する。代替の実施形態では、位置合わせピン５７０のテーパ５７２は実施形態によっては位置合わせフィーチャ５１４のテーパと同じであってよい。位置合わせピン５７０のテーパ先端部５７４は、一部の実施形態では、中に完全に挿入されているときに位置合わせフィーチャ５１４の底部５１６に接触することができ、適切な位置合わせを確実に行うのを補助する。
【００３５】
[0044]上述の例示の実施形態では、別の材料または２つ以上の材料で作られるクロージャの別の実施形態および構成も想定される。例えば、クロージャの内部構造は比較的硬い材料で作られてよく、より柔らかくより適応性のある材料が外側に被覆されてよい。
【００３６】
[0045]クロージャ５００の質量分布は、開口部内に挿入されているときにクロージャの質量中心が開口部の頂部の下にくるように、分布される。この質量分布は、使用時に振動および移動による小さい動きの効果を打ち消すことにより、開口部内でのクロージャの安定性に寄与することができる。
【００３７】
[0046]上述の例示の実施形態に加えて、位置合わせフィーチャを有するクロージャの別の実施形態および構成も想定される。例えば、位置合わせフィーチャは、一部の実施形態では、クロージャの操作表面上に配置されて操作時に位置合わせの調整性を向上させる構造的フィーチャ（突出部、凹部、および、それらの組合せを有する）を有することができる。位置合わせフィーチャはまた、操作時に必ずしも接触されない１つまたは複数の検出可能なフィーチャを有してもよく、これらには、光学的、電磁的または音響的に検出可能なフィーチャが含まれ、これらを検出することにより、クロージャの位置および／または向きに関するフィードバックが得られる。位置合わせフィーチャは、一部の実施形態では、手動キャップ操作または自動キャップ操作で使用され得る。例えば、位置合わせフィーチャは、一部の実施形態では、例えば、クロージャを操作するための自動グリッパや、手動グリッパまたは別の手動工具や、操作者の表面（例えば、人間または動物の操作者の指、手、指関節、親指、足の指、歯など）といったような、接触表面に対して相補的となるように適合されるキャップの外側表面に配置される１つまたは複数の隆起表面または窪み表面を有する。本文脈の「相補的」は、操作時に位置合わせフィーチャの一部分が接触表面の一部分に接触され、この接触がクロージャを特定の向きに維持する傾向にある、ことを意味する。位置合わせフィーチャは、一部の実施形態では、位置合わせおよび操作の両方を促進するという二重の役割を有してよい。例えば、位置合わせフィーチャは、一部の実施形態では、押込み式の接触を実現したり、スリップの可能性を軽減したり、またはそれ以外では、クロージャとの接触の信頼性および安定性を向上させたりすることができる垂直方向の表面の構造的フィーチャを有する。
【００３８】
[0047]次に図６を参照すると、第６の例示の実施形態において、図１〜３のクロージャに類似の、係止フィーチャをさらに含むクロージャ６００が提示されている。オーバーハング６２０がスロット６２２を画定する。係止突出部６５６が容器６５０に取り付けられる。クロージャの挿入時、クロージャ６００がスロット６２２の開口部６２４を用いて係止突出部６５６を方向付けるために旋回される。挿入が進行すると、クロージャ６００が回転され、それにより係止突出部６５６がスロット６２２に沿って移動して凹部６２６内に落下し、それによりクロージャ６００が容器６５０上に係止される。取り外し時、クロージャ６００はねじれて、さらには任意選択で下方向に押し込まれ、係止突出部６５６が凹部６２６から出て、スロット６２２から出るように移動できるようになり、そのとき同時にクロージャ６００がねじれて容器６５０から引抜かれる。容器６５０内へのクロージャ６００の挿入は、ショルダ６０３と開口部６５２とが接触することによって止められる。
【００３９】
[0048]次に図７を参照すると、第７の例示の実施形態において、一部の実施形態において開口部を有する容器を閉じるのに使用され得るクロージャ７００が提示されている。クロージャ７００は、側面図（図７Ａ）、切断図（図７Ｂ）、上面図（図７Ｃ）および斜視図（図７Ｄ）で示される。第７の例示のクロージャ７００は、操作部材７０２と、心出し部材７０４と、２つのシーリング部材７１０と、下側部材７１２と、位置合わせフィーチャ７１４とを有する。クロージャ７００は、一部の実施形態では、ポリエチレン、低密度ポリエチレン、高密度ポリエチレン、ポロプロピレン、または別の重合体で形成されてよい。例示の実施形態では、操作部材７０２は十分な剛性を有し、それにより、一部の実施形態において、目でわかるくらいにクロージャ７００を変形させることなくさらには操作部材７０２とクロージャの残りの部分との間の空間的関係を変化させることなく、操作部材７０２の壁を握持したり開口部の中に押し込んだり開口部から引抜いたりすることが可能となる。
【００４０】
[0049]図７に示されるように、操作部材７０２は、一部の実施形態では、位置合わせフィーチャ７１４を囲むまたはそれに隣接する孔７３０を有してよい。図４Ａおよび４Ｂに関して説明した孔とは異なり、これらの孔７３０は一部の実施形態ではクロージャの軸に沿って位置合わせされ得る。孔７３０は、一部の実施形態では、使用される操作部材の剛性および機能を損なわせることなく、大部分の厚さを増すこと回避して装置全体の質量を減少させて成形を容易にすることができる。例えば、孔７３０は、一部の実施形態では、隣接する孔の間に、径方向に延在する仕切り７３２を有してよく、この仕切り７３２は、操作部材７０２が圧縮力（すなわち、操作部材７０２の外周から概して内側に向かう力）により握持されるときにそれ以外の場合で起こり得るような径方向への撓みを軽減したりそのような撓みに抵抗したりするのを補助するために、操作部材７０２の圧縮スティフネスを向上させる。このようにスティフネスが向上することにより、クロージャ７００を何度も取り外したり再挿入したりすることが容易になると考えられ、これは特に、クロージャ７００によって閉じられている容器の中身が自動システム内で処理される場合に有効である。図７Ｂに示されるように、操作部材７０２は一部の実施形態では、下側部材７１２に接続される第１の面と第１の面の反対側の第２の面との間の垂直方向の寸法ｔ１を有し、この寸法ｔ１は、下側部材７１２の外側表面と位置合わせ孔７１４との間の壁の厚さｔ２より実質的に大きい。操作部材７０２内に孔７３０を使用することにより、鋳型の大きさを過度に変更することが軽減され、このような構成を容易にすることができる。
【００４１】
[0050]クロージャ７００を容器内に挿入することは、ショルダ７０３と容器の開口部とが接触することによって止められる。クロージャが完全に挿入されると、一部の実施形態ではショルダ５０３が開口部を越えて突出し、取り外し中に下方から接触され得るようになる。操作部材７０２の垂直方向の厚さは、クロージャ７００が開口部内に完全に挿入されているときにクロージャ７００の質量中心が開口部より下にくるように、選択され、それにより安定性が向上する。心出し部材７０４はテーパ表面７０６および切断された先端部７０８を有する。クロージャ７００が挿入されるときに誤って位置合わせされた場合、位置ずれの程度が大きくない場合は、テーパ表面７０６または切断された先端部７０８が容器の内壁に接触してクロージャを適切に位置合わせするように誘導する。心出し部材７０４は、一部の実施形態では、開口部よりわずかに細くてよいが、各シーリング部材７１０を開口部に接触させるように誘導することができるくらいに十分に広くてよく、得られる接触力は位置合わせをさらに改善するような傾向にある。２つのシーリング部材１１０は食い違い状の直径を有し、下側のシーリング部材は上側のシーリング部材より約０．４％小さい直径を有し、それにより、クロージャが挿入されるときにシーリング部材１１０が順番にクロージャに接触することから、心出しが段階的に改善される。挿入時、２つのシーリング部材７１０が、流体を容器内に閉じ込めておくことができる耐圧シールを形成する。各シーリング部材７１０は何度も使用されるのに十分なシールを個別に形成することができ、したがって、２つのシーリング部材７１０が存在することで多重性が得られ、一方のシーリング部材が損傷していたり欠陥を有したりしていても閉じ込めが保証される。２つのシーリング部材７１０はまた、容器内でクロージャ７００が確実に垂直に向くように補助する。
【００４２】
[0051]位置合わせフィーチャ７１４は、操作部材７０２内を延在しさらに一部の実施形態では下側部材７１２内を延在してよい孔を有する。例示の実施形態では、位置合わせフィーチャ７１４は、操作部材７０２の全域を通って延在し、さらに下側部材７１２を通って延長して心出し部材７０４内で終端する。示されるように、位置合わせフィーチャの形状は一部の実施形態では下側部材７１２の外壁および心出し部材７０４の外壁に概して適合していてよく、したがって、種々のフィーチャは概して一様な厚さを有する壁を形成する。位置合わせピン（図示ぜず）が位置合わせフィーチャ７１４内に嵌挿され得、それにより、クロージャ７００を取り外したりクロージャ７００を容器内に挿入したりするときに使用されるグリッパ（この図には示されない）に対するクロージャ７００の向きおよび位置を維持することが補助される。位置合わせピンは、位置合わせフィーチャ５１４より細いテーパを有してよい。位置合わせピンの先端部は中に完全に挿入されているときに位置合わせフィーチャ５１４の底部５１６に接触することができ、適切な位置合わせを補助することができる。位置合わせピンはまた、一部の実施形態では、取り付け作業および取り外し作業中にクロージャ７００を支持したりクロージャ７００に強度を付加したりするのを補助する。
【００４３】
[0052]これらのクロージャまたは別のクロージャを操作する方法も想定される。クロージャは、一部の実施形態では、手動で操作されたり、自動システム内で操作されたり、または、工具または部分的なオートメーションの補助により操作され得る。例えば、例示の実施形態は一部の実施形態では片手で手動で開けられ得る。開口部内に挿入されているクロージャの部分が十分に短い場合、一部の実施形態では、（例えば、親指を使用したり、別の表面に接触させたりして）容器を握持してクロージャの中心に向かって押圧することで、片手での取り外しが可能となる。別法として、クロージャが、完全に挿入されているときに下から接触され得る「ショルダ」または別の表面を有する場合、一部の実施形態では、同時にクロージャの中心に向かって上方向に押圧することで、片手での取り外しが可能となる。別の方法がこれらの手法の組合せを提供し、ここでは、操作者は最初にクロージャの中心に向かって押圧し、それにより一部分が解放されて下側表面が露出されるようになり、操作者はさらにこの表面をクロージャの中心に向かって上方向に押す。別の方法は、親指と人差し指とでクロージャを摘んで上方向に引っ張りながら３つの指で容器を保持するステップを伴う（さらに、任意選択で、最初に側方に押すことでクロージャを緩めるステップを伴う）。クロージャは一部の実施形態では挿入時および／または取り出し時にねじられ得、これは一部の実施形態では手動での操作時または自動操作時に実施され得る。このような方法は、一部の実施形態では、操作時にクロージャがある程度自由に回転することできる場合に（通常は、回転対称性により）、使用され得る。ねじれ運動を使用することにより、必要となる力を減少させて取り外しを容易にすることができる。理論的に限定する意図はないが、ねじれ動作はクロージャと容器との間の静止摩擦に打ち勝つことができ、それにより、挿入または取り外しには、運動摩擦に打ち勝つのに十分な挿入方向または取り外し方向の力のみが必要になると考えられる。さらに、摩擦を減らすことにより、シーリング部材（存在する場合）が操作時に変形しにくくなり、したがって操作に対して抵抗しにくくなることが見込まれる。
【００４４】
[0053]次に図８を参照すると、上述のクロージャに類似のクロージャを操作することができるグリッパの例示の実施形態が提示されている。グリッパ８８０は、位置合わせピン８７０と、２つのジョー８８６と、突出部８８２とを有する。操作時、グリッパ８８０は複数の箇所でクロージャ８００に接触し、プレッサ表面８８８が操作部材８０２の上側表面に接触し、ジョー８８６が操作部材８０２の側面を圧縮し、突出部８８２がショルダ８０３の下側表面に接触し、位置合わせピン８７０が位置合わせフィーチャ８１４の内側に接触する。ジョー８８６は、グリッパ８８０がクロージャ８００を握持したり解放したりするのを可能にするために、開いたり閉じたりする。さらに、位置合わせピン８７０が任意選択でグリッパ内に引込み可能であるか、または、定位置に固定される。位置合わせピン８７０は位置合わせフィーチャ８１４内に嵌挿され、グリッパ８８０に対するクロージャ８００の向きおよび位置を維持するのを補助する。位置合わせピン８７０は、位置合わせフィーチャ８１４とは異なるテーパを有するテーパ８７２を有する。代替の実施形態では、位置合わせピン８７０のテーパ８７２は一部の実施形態では位置合わせフィーチャ８１４のテーパと同じであってよい。中に完全に挿入されている場合、位置合わせピン８７０のテーパ先端部８７４（図示される実施形態では切断されている）が位置合わせフィーチャ８１４の底部８１６に接触し、適切な位置合わせを確実にするのを補助する。クロージャ８００を容器８５０から取り外すとき、ショルダ８０３の下側表面を通してさらには操作部材８０２の側面を通してグリッパからクロージャへと力が伝達される。クロージャ８００を容器８５０内に挿入するとき、操作部材８０２の上側表面を通してさらには操作部材８０２の側面を通してプレッサ表面８８８からクロージャへと力が伝達される。
【００４５】
[0054]本明細書で説明されるクロージャ、グリッパおよび方法は、一部の実施形態では、サンプル処理システムで使用されるように統合され得る。例えば、一部の実施形態において、自動システムがこれらのクロージャ、グリッパまたは方法を使用することができ、ここでは、入力サンプル容器、出力サンプル容器、および／または、入力処理と出力処置との間の中間サンプル容器が存在する。一実施例では、サンプルは、損傷しているまたは自動システムに適合していないクロージャを有する容器内に入れられるが、このような場合、サンプルは、一部の実施形態では、本発明の一実施形態のクロージャによって後で閉じられる容器に移されてよい。このようなシステムの例が、２００９年１０月９日に出願された「ＡＵＴＯＭＡＴＥＤ  ＡＳＳＡＹ  ＡＮＤ  ＳＹＳＴＥＭ」と題される米国特許出願第１２／５８８，３０４号（代理人整理番号７４７０８．０００４０１）、および、２００９年１０月９日に出願された「Ｏｐｅｎ  Ｐｌａｔｆｏｒｍ  Ａｕｔｏｍａｔｅｄ  Ｓａｍｐｌｅ  Ｐｒｏｃｅｓｓｉｎｇ  Ｓｙｓｔｅｍ」と題される米国特許出願第１２／５８８，３０６号（代理人整理番号７４７０８．００１００１）で説明されており、これらの各々は参照によりその全体が本明細書に組み込まれる。
【００４６】
[0055]上述の実施形態が単に例示であり、本明細書に示される教示に照らして当業者には別の実施形態が明らかであることを理解されたい。例えば、上述の実施形態は医療検査で使用されるクロージャおよび方法を説明しているが、これらのクロージャおよび方法が一部の実施形態において別の処理で使用されるように修正され得ることは明白である。別の例としては、一部の実施形態において、相補的開口部を画定する構造（例えば、試験管）にクロージャを結合させるリンク要素が用意されてよく、それにより、クロージャが、開口部から外されている場合でも試験管に取り付けられた状態を維持する。一部の実施形態では、リンク手段として、可撓性および／またはヒンジ要素が使用され得る。本開示を考慮して、さらには、本発明の実施において、当業者には別の変形形態も明らかである。
【図１Ａ】
0005615370.tif 000002
【図１Ｂ】
0005615370.tif 000003
【図１Ｃ】
0005615370.tif 000004
【図２】
0005615370.tif 000005
【図３】
0005615370.tif 000006
【図４Ａ】
0005615370.tif 000007
【図４Ｂ】
0005615370.tif 000008
【図５Ａ】
0005615370.tif 000009
【図５Ｂ】
0005615370.tif 000010
【図５Ｃ】
0005615370.tif 000011
【図５Ｄ】
0005615370.tif 000012
【図６Ａ】
0005615370.tif 000013
【図６Ｂ】
0005615370.tif 000014
【図７Ａ】
0005615370.tif 000015
【図７Ｂ】
0005615370.tif 000016
【図７Ｃ】
0005615370.tif 000017
【図７Ｄ】
0005615370.tif 000018
【図８】
0005615370.tif 000019